(57)【要約】【課題】電源と計測装置とを電気的に接続する電圧検出用コネクタの接続構造において、高電圧の電源であっても、計測装置に入力される電圧が耐電圧を超えるのを防止しつつ、電源が低電圧の場合には、計測装置によって電圧を正確に検出可能な構成を得る。【解決手段】電圧検出用コネクタの接続構造は、電源（２１）に電気的に接続された低電圧用コネクタ（２３ａ）と、低電圧用コネクタ（２３ａ）に対して並列に接続されるとともに、降圧装置（２４ｂ）を介して電源（２１）に電気的に接続された高電圧用コネクタ（２４ａ）と、電力計測装置（３１）に電気的に接続され、低電圧用コネクタ（２３ａ）及び高電圧用コネクタ（２４ａ）のいずれか一方と接続される計測装置側コネクタ（２５）とを備える。【選択図】図２
2015153651.tif 000002
【特許請求の範囲】
【請求項１】
電源に電気的に接続された低電圧用コネクタと、
前記低電圧用コネクタに対して並列に接続されるとともに、降圧装置を介して前記電源に電気的に接続された高電圧用コネクタと、
計測装置に電気的に接続され、前記低電圧用コネクタ及び前記高電圧用コネクタのいずれか一方と接続される計測装置側コネクタとを備える、電圧検出用コネクタの接続構造。
【請求項２】
請求項１に記載の電圧検出用コネクタの接続構造において、
前記低電圧用コネクタ、前記高電圧用コネクタ及び前記計測装置側コネクタは、それぞれ、少なくとも４つの端子を有する、電圧検出用コネクタの接続構造。
【請求項３】
請求項２に記載の電圧検出用コネクタの接続構造において、
前記低電圧用コネクタは、前記計測装置側コネクタと接続された状態で、前記少なくとも４つの端子のうち前記計測装置と電気的に接続されていない端子がオープン状態であり、
前記高圧用コネクタは、前記計測装置側コネクタと接続された状態で、前記少なくとも４ピンの端子のうち前記計測装置と電気的に接続されていない端子が端子同士で電気的に接続されたクローズ状態である、電圧検出用コネクタの接続構造。
【請求項４】
電源と、
前記電源からの電力供給を制御する制御部と、
請求項１から３のいずれか一つに記載の電圧検出用コネクタの接続構造における計測装置側コネクタ、低電圧用コネクタ及び高電圧用コネクタと、
前記計測装置側コネクタが、前記高電圧用コネクタ及び前記低電圧用コネクタのいずれに接続されているかを検出するコネクタ接続検出部と、
前記電源の電圧を検出する電圧検出部とを備え、
前記制御部は、前記コネクタ接続検出部によって前記計測装置側コネクタが前記低電圧用コネクタに接続されていることが検出され、且つ、前記電圧検出部によって前記電源の電圧が所定値以上であると検出された場合に、前記電源からの電力供給を停止する、電源装置。
【請求項５】
電源と、
前記電源からの電力供給を制御する制御部と、
請求項１から３のいずれか一つに記載の電圧検出用コネクタの接続構造における計測装置側コネクタ、低電圧用コネクタ及び高電圧用コネクタと、
前記計測装置側コネクタ、前記低電圧用コネクタ及び前記高電圧用コネクタが収納され、それらのコネクタにアクセス可能なように開口部が形成されたケースと、
前記開口部を覆う扉と、
前記扉が開状態であることを検出する扉検出部とを備え、
前記制御部は、前記扉検出部によって前記扉が開状態であることが検出された場合に、前記電源からの電力供給を停止する、電源装置。
【発明の詳細な説明】
【技術分野】
【０００１】
本発明は、電源と計測装置とを電気的に接続するための電圧検出用コネクタの接続構造に関する。
【背景技術】
【０００２】
従来より、電源と計測装置とを電圧検出用コネクタによって電気的に接続する構成が知られている。このような構成として、例えば、特許文献１には、電源としての電池に、コネクタを介して電圧測定装置を接続することにより、電源電圧の監視を行う構成が開示されている。
【先行技術文献】
【特許文献】
【０００３】
【特許文献１】特開２００６−１５３６８８号公報
【発明の概要】
【発明が解決しようとする課題】
【０００４】
ところで、上述の特許文献１に開示されている電池のように、比較的、低電圧の電源であれば、コネクタによって電源と計測装置とを電気的に接続することにより、電源の電力等を検出することができる。
【０００５】
しかしながら、例えば、車両用のインバータや車載モータの試験装置などのように、比較的電圧が高い電源を用いる装置の場合、コネクタによって電源と計測装置とを接続して電源の電圧をそのまま計測装置に入力すると、該計測装置の耐電圧を超えてしまう可能性がある。特に、近年、高速回転や高出力のモータが要求されているため、試験装置に用いられる電源は高電圧化している。
【０００６】
これに対し、電源の電圧を降圧装置等によって降圧させて計測装置に供給する方法が考えられるが、降圧装置等によって電圧を降下させると、低電圧の場合に電圧の検出精度が低下する可能性がある。すなわち、降圧装置は内部にインピーダンス等を有するため、該降圧装置によって降圧した後の電圧を計測装置によって検出しても、電源の電圧を正確に求められない可能性がある。
【０００７】
なお、電源にコネクタを介して制御装置が接続される構成の場合には、該制御装置と電源とを接続するコネクタにも、上述の計測装置の場合と同様の課題が生じる可能性がある。すなわち、電源の電圧が高電圧であれば、制御装置が破損する可能性があり、低電圧の場合に降圧装置によって電圧を降下させると、電圧指令値に対する出力電圧の精度が低下する可能性がある。
【０００８】
本発明の目的は、電源と計測装置とを電気的に接続する電圧検出用コネクタの接続構造において、高電圧の電源であっても、計測装置に入力される電圧が耐電圧を超えるのを防止しつつ、電源が低電圧の場合には、計測装置によって電圧を正確に検出可能な構成を得ることにある。
【課題を解決するための手段】
【０００９】
本発明の一実施形態に係る電圧検出用コネクタの接続構造は、電源に電気的に接続された低電圧用コネクタと、前記低電圧用コネクタに対して並列に接続されるとともに、降圧装置を介して前記電源に電気的に接続された高電圧用コネクタと、計測装置に電気的に接続され、前記低電圧用コネクタ及び前記高電圧用コネクタのいずれか一方と接続される計測装置側コネクタとを備える（第１の構成）。
【００１０】
以上の構成では、電源に電気的に接続されたコネクタとして、低電圧用コネクタ及び高電圧用コネクタを並列に設けることにより、計測装置に電気的に接続された計測装置側コネクタを、電源の電圧に応じて低電圧用コネクタ及び高電圧用コネクタのいずれかに接続することができる。そして、上述の構成では、高電圧用コネクタは、降圧装置を介して電源に接続される一方、低電圧用コネクタは、降圧装置を介さずに電源に接続される。よって、電源が高電圧の場合には、計測装置側コネクタを高電圧用コネクタに接続することにより、計測装置に降圧装置によって降圧された電圧が入力される。一方、電源が低電圧の場合には、計測装置側コネクタを低電圧用コネクタに接続することにより、計測装置に電源の電圧が直接、入力される。
【００１１】
したがって、上述の構成により、電源の電圧が高電圧の場合には、計測装置の耐電圧に合わせて電圧を降下させることができる一方、電源の電圧が低電圧の場合には、電源の電圧を直接、計測装置に入力することにより、計測装置による電圧の計測誤差を極力、小さくすることができる。
【００１２】
前記第１の構成において、前記低電圧用コネクタ、前記高電圧用コネクタ及び前記計測装置側コネクタは、それぞれ、少なくとも４つの端子を有する（第２の構成）。これにより、計測装置側コネクタの２つの端子が計測装置に電気的に接続される一方、残りの少なくとも２つの端子を用いて、計測装置側コネクタが高電圧用コネクタ及び低電圧用コネクタのいずれに接続されているかを検出することが可能になる。
【００１３】
すなわち、例えば、計測装置側コネクタが低電圧用コネクタに接続されている場合には、該計測装置側コネクタの少なくとも２つの端子がオープン状態となる一方、計測装置側コネクタが高電圧用コネクタに接続されている場合には、該計測装置側コネクタの少なくとも２つの端子がクローズ状態となるように、低電圧用コネクタ及び高電圧用コネクタを構成することにより、計測装置側コネクタがいずれのコネクタに接続されているかを検出することが可能になる。
【００１４】
したがって、各コネクタを上述のような構成にすることで、計測装置側コネクタが低電圧用コネクタ及び高電圧用コネクタのいずれに接続されているかを検出することが可能になる。
【００１５】
前記第２の構成において、前記低電圧用コネクタは、前記計測装置側コネクタと接続された状態で、前記少なくとも４つの端子のうち前記計測装置と電気的に接続されていない端子がオープン状態である。前記高圧用コネクタは、前記計測装置側コネクタと接続された状態で、前記少なくとも４ピンの端子のうち前記計測装置と電気的に接続されていない端子が端子同士で電気的に接続されたクローズ状態である（第３の構成）。
【００１６】
これにより、計測装置側コネクタが低電圧用コネクタ及び高電圧用コネクタのいずれに接続されているかを検出することが可能になる。
【００１７】
本発明の一実施形態に係る電源装置は、電源と、前記電源からの電力供給を制御する制御部と、第１から第３の構成のうちいずれか一つに記載の電圧検出用コネクタの接続構造における計測装置側コネクタ、低電圧用コネクタ及び高電圧用コネクタと、前記計測装置側コネクタが、前記高電圧用コネクタ及び前記低電圧用コネクタのいずれに接続されているかを検出するコネクタ接続検出部と、前記電源の電圧を検出する電圧検出部とを備える。前記制御部は、前記コネクタ接続検出部によって前記計測装置側コネクタが前記低電圧用コネクタに接続されていることが検出され、且つ、前記電圧検出部によって前記電源の電圧が所定値以上であると検出された場合に、前記電源からの電力供給を停止する（第４の構成）。
【００１８】
このように、計測装置側コネクタが低電圧用コネクタに接続されている状態で、電源の電圧が所定値以上になると、電源からの電力供給を停止することにより、計測装置に高電圧が入力されるのを防止できる。したがって、計測装置側コネクタを誤って意図しないコネクタに接続した場合でも、計測装置に耐電圧以上の電圧が入力されるのを防止できる。
【００１９】
本発明の一実施形態に係る電源装置は、電源と、前記電源からの電力供給を制御する制御部と、第１から第３の構成のうちいずれか一つに記載の電圧検出用コネクタの接続構造における計測装置側コネクタ、低電圧用コネクタ及び高電圧用コネクタと、前記計測装置側コネクタ、前記低電圧用コネクタ及び前記高電圧用コネクタが収納され、それらのコネクタにアクセス可能なように開口部が形成されたケースと、前記開口部を覆う扉と、前記扉が開状態であることを検出する扉検出部とを備える。前記制御部は、前記扉検出部によって前記扉が開状態であることが検出された場合に、前記電源からの電力供給を停止する（第５の構成）。
【００２０】
これにより、第１から第３の構成のうちいずれか一つの電圧検出用コネクタの接続構造において計測装置側コネクタを低電圧用コネクタ及び高電圧用コネクタのいずれかに接続する際に、扉を開けて、計測装置側コネクタにアクセスすることができる。しかも、扉を開けることにより、制御部によって電源からの電力供給が停止されるため、計測装置側コネクタを低電圧用コネクタ及び高電圧用コネクタのいずれかに安全に接続することができる。
【発明の効果】
【００２１】
本発明の一実施形態に係る電圧検出用コネクタの接続構造によれば、電源に対して、直接、電気的に接続された低電圧用コネクタと、降圧装置を介して接続された高電圧用コネクタとを並列に設ける。そして、電源の電圧が高電圧の場合には、計測装置側コネクタを高電圧用コネクタに接続することで、電源の電圧から降圧された電圧を計測装置に入力する。一方、電源の電圧が低電圧の場合には、計測装置側コネクタを低電圧用コネクタに接続することで、電源の電圧をそのまま計測装置に入力する。
【００２２】
これにより、電源の電圧が高電圧の場合には、電源の電圧を降圧して、計測装置の耐電圧を超えないようにする一方、電源の電圧が低電圧の場合には、計測装置に直接、電源の電圧を入力して、該計測装置によって電源の電圧を精度良く計測することができる。
【図面の簡単な説明】
【００２３】
【図１】図１は、本発明の一実施形態に係る評価試験装置の全体構成を示すブロック図である。
【図２】図２は、コネクタ接続構造において、計測装置側コネクタを低電圧用コネクタに接続した状態を示すブロック図である。
【図３】図３は、コネクタ接続構造において、計測装置側コネクタを高電圧用コネクタに接続した状態を示すブロック図である。
【図４】図４は、制御装置の概略構成を示すブロック図である。
【図５】図５は、扉の開閉状態及びコネクタの接続状態に応じて電力供給を停止する制御を示すフローである。
【発明を実施するための形態】
【００２４】
以下、図面を参照し、本発明の実施の形態を詳しく説明する。図中の同一または相当部分については同一の符号を付してその説明は繰り返さない。
【００２５】
（全体構成）
図１は、本発明の実施形態に係る評価試験装置１の概略構成を示す図である。この評価試験装置１は、供試モータ２及び供試インバータ３の駆動を評価するための装置である。詳しくは、評価試験装置１は、供試インバータ３に電力を供給することにより、供試モータ２を回転させて、供試インバータ３及び供試モータ２の各種計測データを取得する。評価試験装置１は、例えば、車両用モータ及びそれを駆動制御するためのインバータを評価する際に用いられる。
【００２６】
評価試験装置１は、供試インバータ３に電力を供給する直流電源装置１１と、供試モータ２に負荷として接続されるダイナモ１２と、該ダイナモ１２の駆動を制御するためのインバータ１３と、直流電源装置１１及びインバータ１３を制御するための制御装置１４とを備える。なお、図１に示す符号１５は、モータ２の出力トルクを計測するためのトルク計である。
【００２７】
ダイナモ１２、インバータ１３及びトルク計１５の構成は従来の構成と同様なので、詳しい説明を省略する。
【００２８】
直流電源装置１１は、供試インバータ３に対して電力を供給する直流電源として機能する。直流電源装置１１は、制御装置１４によって、供試インバータ３に対して供給される電力が制御される。なお、直流電源装置１１は、電力計測装置３１の耐電圧以上の電圧（例えば１３００Ｖ）を出力可能に構成されている。
【００２９】
図２に示すように、直流電源装置１１は、電源２１と、接続部２２（電圧検出用コネクタの接続構造）とを有する。電源２１は、直流電力を供給可能な直流電源である。接続部２２は、電力計測装置３１（計測装置）と電気的に接続される。接続部２２は、電源２１が低電圧の場合に電力計測装置３１と電気的に接続される低電圧用接続部２３と、電源２１が高電圧の場合に電力計測装置３１と電気的に接続される高電圧用接続部２４とを有する。すなわち、接続部２２は、電源２１の電圧に応じて、電力計測装置３１との電気的な接続を切り替え可能な２つの接続部を有する。
【００３０】
低電圧用接続部２３は、低電圧用コネクタ２３ａを有する。この低電圧用コネクタ２３ａは、電源２１の電圧が低電圧の場合に、電力計測装置３１に電気的に接続される計測装置側コネクタ２５に接続される。これにより、計測装置側コネクタ２５が低電圧用コネクタ２３ａに接続されている場合には、電力計測装置３１に電源２１の電圧が入力される。
【００３１】
低電圧用コネクタ２３は、４つの端子を有する。低電圧用コネクタ２３ａの４つの端子のうち２つの端子は、電源２１に電気的に接続されている。低電圧用コネクタ２３ａと電源２１との間には、降圧装置などの変圧装置は介在していない。低電圧用コネクタ２３ａの４つの端子のうち、電源２１に接続されていない残りの２つの端子は、それぞれオープン状態である。
【００３２】
高電圧用接続部２４は、高電圧用コネクタ２４ａと、降圧装置２４ｂとを有する。高電圧用コネクタ２４ａは、電源２１の電圧が高電圧の場合に、計測装置側コネクタ２５に接続される（図３参照）。これにより、計測装置側コネクタ２５が高電圧用コネクタ２４ａに接続されている場合には、電源２１の電圧は降圧装置２４ｂによって降圧された後、電力計測装置３１に入力される。
【００３３】
高電圧用コネクタ２４ａも、低電圧用コネクタ２３と同様、４つの端子を有する。高電圧用コネクタ２４ａの４つの端子のうち２つの端子は、降圧装置２４ｂを介して電源２１に接続されている。低電圧用コネクタ２４ａの４つの端子のうち、電源２１に接続されていない残りの２つの端子は、互いに接続されている。これにより、前記残りの２つの端子は、クローズ状態である。
【００３４】
降圧装置２４ｂは、電力を変換するトランスデューサーを含む。本実施形態で用いる降圧装置２４ｂは、一般的な構成であるため、詳しい説明を省略するが、例えば分圧を利用して電圧を降下させるように構成されている。
【００３５】
ここで、電源２１の電圧が高電圧とは、該電圧が電力計測装置３１の耐電圧（所定値）以上の電圧であることを意味する。また、電源２１の電圧が低電圧とは、該電圧が電力計測装置３１の耐電圧よりも低い電圧であることを意味する。
【００３６】
電力計測装置３１は、直流電源の電力を計測する。電力計測装置３１は、一般的な電力計と同様の構成なので、電力計測装置３１の詳しい構成については説明を省略する。電力計測装置３１は、計測装置側コネクタ２５に電気的に接続されている。
【００３７】
計測装置側コネクタ２５は、低電圧用コネクタ２３ａ及び高電圧用コネクタ２４ａと同様、４つの端子を有する。電力計測装置３１は、計測装置側コネクタ２５における４つの端子のうちの２つの端子に接続されている。これらの２つの端子は、計測装置側コネクタ２５を低電圧用コネクタ２３ａ及び高電圧用コネクタ２４ａのいずれかに接続した場合に、各コネクタにおいて電源２１に接続される２つの端子に接続される。すなわち、計測装置側コネクタ２５を低電圧用コネクタ２３ａ及び高電圧用コネクタ２４ａのいずれかに接続することにより、電源２１に対して電力計測装置３１が電気的に接続される。
【００３８】
計測装置側コネクタ２５は、４つの端子のうち、電力計測装置３１が接続されていない２つの端子に、制御装置１４が接続されている。すなわち、制御装置１４は、計測装置側コネクタ２５において、電力計測装置３１が接続されていない残りの２つの端子の状態を検出している。
【００３９】
計測装置側コネクタ２５において制御装置１４が接続された２つの端子は、図２に示すように計測装置側コネクタ２５と低電圧用コネクタ２３ａとが接続された場合に、該低電圧用コネクタ２３ａのオープン状態の２つの端子に接続される。これにより、計測装置側コネクタ２５の前記２つの端子は、オープン状態となる。
【００４０】
一方、計測装置側コネクタ２４の前記２つの端子は、図３に示すように計測装置側コネクタ２５と高電圧用コネクタ２４ａとが接続された場合に、該高電圧用コネクタ２４ａのクローズ状態の２つの端子に接続される。これにより、計測装置側コネクタ２５の前記２つの端子は、クローズ状態となる。
【００４１】
このように、計測装置側コネクタ２５が低電圧用コネクタ２３ａと接続された場合と、該計測装置側コネクタ２５が高電圧用コネクタ２４ａと接続された場合とで、計測装置側コネクタの端子の状態が変わる。これにより、計測装置側コネクタ２５が低電圧用コネクタ２３ａと接続されたのか、高電圧用コネクタ２４ａと接続されたのかを、計測装置側コネクタ２５の制御装置１４に接続された２つの端子のオープン／クローズによって検出することができる。
【００４２】
すなわち、図２に示すように、計測装置側コネクタ２５が低電圧用コネクタ２３ａと接続された場合、制御装置１４は、計測装置側コネクタ２５の２つの端子がオープン状態であることを検出する。一方、図３に示すように、計測装置側コネクタ２５が高電圧用コネクタ２４ａと接続された場合、制御装置１４は、計測装置側コネクタ２５の２つの端子がクローズ状態であることを検出する。
【００４３】
後述するように、制御装置１４は、計測装置側コネクタ２５の２つの端子の状態を検出することにより、計測装置側コネクタ２５が低電圧用コネクタ２３ａ及び高電圧用コネクタ２４ａのいずれと接続されているかを判定している。そして、詳しくは後述するが、制御装置１４は、計測装置側コネクタ２５が低電圧用コネクタ２４ａと接続されていると判定し、且つ、電源２１の電圧が高電圧のときには、該電源２１からの電力供給を停止する。すなわち、制御装置１４は、計測装置側コネクタ２５が低電圧用コネクタ２４ａと接続されている場合に、高電圧が電力計測装置３１に入力されないような保護機能を有する。
【００４４】
本実施形態の評価試験装置１は、このような保護機能を有する制御装置１４に加えて、上述のように、高電圧用コネクタ２４ａにおいて、該高電圧用コネクタ２４ａが計測装置側コネクタ２５と接続された場合に制御装置１５と接続される２つの端子をクローズにすることで、電力計測装置３１を保護する安全側に動作する。詳しくは、上述の構成を有する評価試験装置１では、制御装置１４は、制御装置１４と計測装置側コネクタ２５及び高電圧用コネクタ２４ａとの間で断線が生じた場合、計測装置側コネクタ２５の端子がオープンであると判定する。よって、制御装置１４と計測装置側コネクタ２５及び高電圧用コネクタ２４ａとの間で断線が生じても、制御装置１４は、計測装置側コネクタ２５は低電圧用コネクタ２３ａに接続されているという安全側の判定を行う。したがって、電力計測装置３１に高電圧が入力されるのをより確実に防止できる。
【００４５】
本実施形態では、直流電源装置１１の接続部２２は、出力リレーパネル１６（ケース）内に配置されている。出力リレーパネル１６には、作業者が接続部２２にアクセス可能なように、開口部（図示省略）が設けられていて、該開口部は扉１７（図４参照）によって覆われている。本実施形態では、扉１７が開状態かどうかを、扉検出部１８（図４参照）によって検出する。
【００４６】
制御装置１４は、供試インバータ３に電力を供給する直流電源装置１１、及びダイナモ１２の駆動を制御するインバータ１３を、それぞれ制御する。また、制御装置１４は、接続部２２が収納される出力リレーパネル１６の開口部を覆う扉１７が開状態であれば、電源２１からの電力供給を停止する。さらに、制御装置１４は、計測装置側コネクタ２５が低電圧用コネクタ２３ａと接続されている場合に、電源２１の電圧が高電圧であれば、該電源２１からの電力供給を停止する。
【００４７】
具体的には、図４に示すように、制御装置１４は、制御部４１と、コネクタ接続検出部４２と、電圧検出部４３とを備える。コネクタ接続検出部４２は、計測装置側コネクタ２５が低電圧用コネクタ２３ａと接続しているかどうかを検出する。具体的には、コネクタ接続検出部４２は、電力計測装置３１に接続された計測装置側コネクタ２５の２つの端子がオープン状態かどうかを検出する。
【００４８】
電圧検出部４３は、電源２１の電圧を検出する。すなわち、電圧検出部４３は、電源２１の電圧が高電圧であるかどうかを判定する。電圧検出部４３は、例えば、一般的な電圧計を有する。
【００４９】
制御部４１は、電源２１の電力供給を制御する。また、制御部４１は、コネクタ接続検出部４２によって、計測装置側コネクタ２５が低電圧用コネクタ２３ａに接続されていると判定され、且つ、電圧検出部４３が電源２１の電圧が高電圧であると判定した場合には、該電源２１の電力供給を停止する。
【００５０】
これにより、計測装置側コネクタ２５が低電圧用コネクタ２３ａに接続された状態で、電力計測装置３１に高電圧が入力されるのを防止できる。したがって、電力計測装置３１に、耐電圧以上の高電圧が入力されて該電力計測装置３１が破損するのを防止できる。
【００５１】
また、制御部４１は、扉検出部１８によって、直流電源装置１１の接続部２１にアクセスするための扉１７が開状態であると判定された場合に、電源２１からの電力供給を停止する。
【００５２】
これにより、扉１７が開状態で、電源２１から接続部２２に電力が供給されるのを防止できる。したがって、直流電源装置１１の接続部２２にアクセスしようとする作業者の安全をより確実に確保することができる。
【００５３】
ここで、本発明の「電源装置」は、制御装置１４、電源２１、接続部２２、出力リレーパネル１６及び扉検出部３８を含む。電源装置は、図４において、符号１０で示す。
【００５４】
以上のような構成を有する制御部４１の動作フローを図５に示す。
【００５５】
図５に示すフローがスタートすると（スタート）、ステップＳ１で、制御部４１は、扉検出部１８の検出結果に基づいて扉１７が開状態であるかどうかを判定する。このステップＳ１において扉１７は開状態であると判定された場合（ＹＥＳの場合）には、ステップＳ４に進んで、制御部４１は、電源２１の電力供給を停止する。その後、このフローを終了する（エンド）。
【００５６】
これにより、扉１７を開けた状態で、接続部２２に電力が供給されるのを防止できる。よって、作業者の安全を確保できる。
【００５７】
一方、ステップＳ１において扉は閉状態であると判定された場合（ＮＯの場合）には、ステップＳ２に進んで、制御部４１は、コネクタ接続検出部４２の検出結果に基づいて計測装置側コネクタ２５が低電圧用コネクタ２３ａに接続されているかどうかを判定する。このステップＳ２において計測装置側コネクタ２５が低電圧用コネクタ２３ａに接続されていると判定された場合（ＹＥＳの場合）には、ステップＳ１に戻って、該ステップＳ１で再度判定を行う。
【００５８】
ステップＳ２において計測装置側コネクタ２５が低電圧用コネクタ２３ａに接続されていないと判定された場合（ＮＯの場合）には、計測装置側コネクタ２５は高電圧用コネクタ２３ａに接続されているため、電力計測装置３１の保護制御を行う必要がない。よって、ステップＳ１に戻って、該ステップＳ１で再度判定を行う。
【００５９】
ステップＳ３において、電源２１の電圧が所定値以上である高電圧かどうかを判定する。ステップＳ３で電源２１の電圧が高電圧であると判定された場合（ＹＥＳの場合）には、ステップＳ４に進んで、制御部４１は電源２１からの電力供給を停止する。その後、このフローを終了する（エンド）。
【００６０】
一方、ステップＳ３で電源２１の電圧が所定値よりも低い低電圧であると判定された場合（ＮＯの場合）には、電力変換装置３１の保護制御を行う必要がないため、ステップＳ１に戻って、該ステップＳ１で再度判定を行う。
【００６１】
本実施形態では、電力計測装置３１に電気的に接続された計測装置側コネクタ２５を、電源２１の電圧が低電圧の場合には低電圧用コネクタ２３ａに接続する一方、電源２１の電圧が高電圧の場合には高電圧用コネクタ２４ａに接続する。低電圧用コネクタ２３ａは、変圧装置等を介さずに電源２１に接続されている一方、高電圧用コネクタ２４ａは、降圧装置２４ｂを介して電源２１に接続されている。
【００６２】
これにより、電源２１の電圧が高電圧の場合には、降圧装置２４ｂによって降圧した電圧を電力計測装置３１に入力できる。一方、電源２１の電圧が低電圧の場合には、電力変換装置３１に電源２１の電圧を直接、入力できる。これにより、電力計測装置３１に高電圧が入力されるのを防止しつつ、電源２１の電圧が低電圧の場合には電力計測装置３１によって電力を精度良く計測することができる。
【００６３】
しかも、計測装置側コネクタ２５、低電圧用コネクタ２３ａ及び高電圧用コネクタ２４ａは、それぞれ、４つの端子を有する。これにより、電源２１と電力計測装置３１とを電気的に接続するために２つの端子を使用する一方、残りの２つの端子を利用して制御装置１４による計測装置側コネクタ２５の接続状態の検出が可能になる。すなわち、低電圧用コネクタ２３ａでは、電源２１に接続されていない２つの端子をオープン状態にする一方、高電圧用コネクタ２４ａでは、電源２１に接続されていない２つの端子をクローズ状態にする。そして、計測装置側コネクタ２５において、電力計測装置３１と接続されていない２つの端子の電位を、制御装置１４によって検出することで、計測装置側コネクタ２５が低電圧用コネクタ２３ａ及び高電圧用コネクタ２４ａのいずれに接続されているかを判定することが可能になる。
【００６４】
また、低電圧用コネクタ２３ａにおいて、電源２１に接続されていない２つの端子をオープン状態にする一方、高電圧用コネクタ２４ａにおいて、電源２１に接続されていない２つの端子をクローズ状態にすることで、計測装置側コネクタ２５と制御装置１４との間で断線等が生じた場合でも、電力計測装置３１に高電圧が入力されるのを防止できる。すなわち、計測装置側コネクタ２５と制御装置１４との間で断線が生じた場合、該制御装置１４は、端子がオープン状態であると検出する。このように制御装置１４が端子のオープン状態を検出する場合、該制御装置１４は、計測装置側コネクタ２５が低電圧用コネクタ２３ａに接続されていると判定する。制御装置１４は、計測装置側コネクタ２５が低電圧用コネクタ２３ａに接続されていて、且つ、電源の電圧が高電圧の場合にも、電源２１からの電力供給を停止する。したがって、電力計測装置３１に電源２１から高電圧の電力が供給されるのを防止することが可能である。
【００６５】
さらに、制御装置１４は、接続部２２が収納されるケースの開口部を覆う扉１７が開状態のときには、電源２１からの電力供給を停止する。これにより、作業者が扉１７を開けて作業を行う際に、作業者の安全を確保することができる。
【００６６】
（その他の実施形態）
以上、本発明の実施の形態を説明したが、上述した実施の形態は本発明を実施するための例示に過ぎない。よって、上述した実施の形態に限定されることなく、その趣旨を逸脱しない範囲内で上述した実施の形態を適宜変形して実施することが可能である。
【００６７】
前記実施形態では、評価試験装置１として、例えば図１に示すように、供試モータ２及び供試インバータ３を評価する試験装置の例を挙げている。しかしながら、車両または車両の部品を評価する評価試験装置であれば、図１以外の構成であってもよい。評価試験装置は、例えば、車両の走行試験を行う試験装置であってもよいし、車両の変速機を評価する試験装置であってもよい。
【００６８】
前記実施形態では、計測装置側コネクタ２５、低電圧用コネクタ２３ａ及び高電圧用コネクタ２４ａは、それぞれ、４つの端子を有する。しかしながら、これらのコネクタは、４つ以上の端子を有していれば、特に端子の数は４つに限定されない。
【００６９】
前記実施形態では、低電圧用コネクタ２３ａにおいて電源２１に接続されない２つの端子をオープン状態とし、高電圧用コネクタ２４ａにおいて電源２１に接続されない２つの端子をクローズ状態としている。しかしながら、低電圧用コネクタ２３ａ及び高電圧用コネクタ２４ａにおいて電源２１に接続されない２つの端子は、計測装置側コネクタ２５が接続されるコネクタを制御装置１４によって判別可能な構成であれば、どのような構成であってもよい。
【００７０】
前記実施形態では、電力計測装置３１と電源２１とを電気的に接続する接続部２２について説明した。しかしながら、電源２１に対してコネクタを介して制御装置１４を接続する構成においても、その接続構造に前記実施形態のような構成を適用してもよい。制御装置１４は、一般的に耐電圧が低く、計測装置のように耐電圧に応じた設計が困難であるため、前記実施形態の構成によって制御装置１４を保護することがより効果的である。
【００７１】
前記実施形態では、計測装置として電力計測装置３１を用いているが、この限りではなく、電力計測装置や電流計測装置など、他の計測装置であってもよい。
【産業上の利用可能性】
【００７２】
本発明は、電源と計測装置とを電気的に接続するための電圧検出用コネクタの接続構造に利用可能である。
【符号の説明】
【００７３】
１  評価試験装置
１０  電源装置
１１  直流電源装置
１４  制御装置
１６  出力リレーパネル（ケース）
１７  扉
１８  扉検出部
２１  電源
２２  接続部（電圧検出用コネクタの接続構造）
２３  低電圧用接続部
２３ａ  低電圧用コネクタ
２４  高電圧用接続部
２４ａ  高電圧用コネクタ
２４ｂ  降圧装置
２５  計測装置側コネクタ
３１  電力計測装置（計測装置）
４１  制御部
４２  コネクタ接続検出部
４３  電圧検出部
【図１】
2015153651.tif 000003
【図２】
2015153651.tif 000004
【図３】
2015153651.tif 000005
【図４】
2015153651.tif 000006
【図５】
2015153651.tif 000007